(57)【要約】密集しているアイコン２１ａ〜２１ｆを囲うように手書きで円を描く。その結果、手書きで描いた円とほぼ同じ位置および同じ大きさで、円３２が表示モニタ１６に表示される。ユーザは、円３２の円周上の位置を押圧する。その結果、密集しているアイコン２１ａ〜２１ｆのうち、円３２の中心から押圧位置の方向に向かって移動するアイコン２１ｂ，２１ｄ，２１ｆのみが表示される。
2009016736.tif 000002
【特許請求の範囲】
【請求項１】
地図表示装置であって、
地図を表示モニタに表示させる地図表示制御部と、
移動する対象をアイコンとして地図に重ねて複数表示させるアイコン表示制御部と、
前記複数表示されているアイコンの中から密集する複数のアイコンを指定するアイコン指定部と、
検索対象アイコンの移動方向を指定する移動方向指定部とを備え、
前記アイコン表示制御部は、前記アイコン指定部によって指定されたアイコンのうち、前記移動方向指定部によって指定された移動方向と略同一の方向に移動するアイコンを表示する地図表示装置。
【請求項２】
請求項１に記載の地図表示装置において、
前記移動する対象は気象に関するものである地図表示装置。
【請求項３】
請求項１または２に記載の地図表示装置において、
前記表示モニタはタッチパネルを備え、
前記アイコン指定部は、前記タッチパネルが押圧されながら描かれた線図に囲われたアイコンを指定する地図表示装置。
【請求項４】
請求項３に記載の地図表示装置において、
前記タッチパネルが押圧されながら描かれた線図に基づいて、前記地図に重ねて円形図形を表示させる円形図形表示制御部を備え、
前記移動方向指定部は、前記円形図形の円周上の押圧位置に基づいて、移動方向を指定する地図表示装置。
【請求項５】
請求項４に記載の地図表示装置において、
前記地図表示制御部は、前記円形図形に基づいて前記表示モニタに表示する地図の縮尺率を変更する地図表示装置。
【請求項６】
請求項４に記載の地図表示装置において、
前記円形図形内に表示された複数のアイコンにおける特定の複数のアイコンを選択するアイコン選択部を備え、
前記地図表示制御部は、前記選択された複数のアイコン同士が重ならないように地図の縮尺率を変更する地図表示装置。
【請求項７】
請求項６に記載の地図表示装置において、
前記アイコン選択部は、前記アイコン指定部によって指定された密集する複数のアイコンのうち、前記タッチパネルが押圧されながら描かれた線図に重なるアイコンを選択する地図表示装置。
【発明の詳細な説明】
【技術分野】
【０００１】
本発明は、所定のアイコンを地図に重ねて表示する地図表示装置に関する。
【背景技術】
【０００２】
竜巻などの移動する対象をアイコンとして地図に重ねて表示するカーナビゲーション装置が従来技術として知られている（たとえば、特許文献１）。
【特許文献１】特開２００６−１４５４７３号公報
【発明の開示】
【発明が解決しようとする課題】
【０００３】
特許文献１に記載されているような従来のカーナビゲーション装置では、局所的に複数の竜巻が発生するなど、移動する対象が密集する場合、地図に重ねて表示するアイコンも密集して表示される。このため、アイコンの視認性が悪くなるという問題点がある。
【課題を解決するための手段】
【０００４】
本発明による地図表示装置は、地図を表示モニタに表示させる地図表示制御部と、移動する対象をアイコンとして地図に重ねて複数表示させるアイコン表示制御部と、複数表示されているアイコンの中から密集する複数のアイコンを指定するアイコン指定部と、検索対象アイコンの移動方向を指定する移動方向指定部とを備え、アイコン表示制御部は、アイコン指定部によって指定されたアイコンのうち、移動方向指定部によって指定された移動方向と略同一の方向に移動するアイコンを表示する。この移動する対象は気象に関するものである。この地図表示装置の表示モニタはタッチパネルを備え、アイコン指定部は、タッチパネルが押圧されながら描かれた線図に囲われたアイコンを指定することが好ましい。この地図表示装置は、タッチパネルが押圧されながら描かれた線図に基づいて、地図に重ねて円形図形を表示させる円形図形表示制御部を備え、移動方向指定部は、円形図形の円周上の押圧位置に基づいて、移動方向を指定する。円形図形内に表示された複数のアイコンにおける特定の複数のアイコンを選択するアイコン選択部をさらに備える本発明の地図表示装置においては、地図表示制御部は、前記選択された複数のアイコン同士が重ならないように地図の縮尺率を変更することが好ましい。また、アイコン選択部は、アイコン指定部によって指定された密集する複数のアイコンのうち、タッチパネルが押圧されながら描かれた線図に重なるアイコンを選択する。
【発明の効果】
【０００５】
本発明によれば、移動する対象の移動方向によって表示するアイコンを選択するようにした。これにより、ユーザは移動方向を指定することにより必要なアイコンを選択して表示させることができる。したがって、アイコンは密集して表示されないので、アイコンの視認性が良くなる。
【図面の簡単な説明】
【０００６】
【図１】本発明の一実施形態によるナビゲーション装置の構成を示すブロック図である。
【図２】気象情報を表示するアイコンが表示された地図を説明するための図である。
【図３】地図に表示された気象情報を表示するアイコンの中から所望のアイコンを指定する操作を説明するための図である。
【図４】指定したアイコンのうち、指定した方向に移動するアイコンのみを表示モニタに表示させる操作を説明するための図である。
【図５】所望のアイコンに対応する気象情報の詳細情報を表示させる操作を説明するための図である。
【図６】本発明の実施形態におけるアイコン表示処理を説明するためのフローチャートである。
【図７】本発明の実施形態におけるアイコン表示処理を説明するためのフローチャートである。
【図８】地図の縮尺率を変更する操作を説明するための図である。
【図９】本発明の他の実施の形態１におけるアイコン表示処理を説明するためのフローチャートである。
【図１０】アイコン同士が重なって表示されないように地図の縮尺率を変更する操作を説明するための図である。
【図１１】本発明の他の実施の形態２におけるアイコン表示処理を説明するためのフローチャートである。
【図１２】本発明の他の実施の形態２におけるアイコン表示処理を説明するためのフローチャートである。
【図１３】タクシーの現在地をアイコンとして表示した地図を説明するための図ある。
【発明を実施するための最良の形態】
【０００７】
図１は、本発明の実施形態によるナビゲーション装置１を示す。このナビゲーション装置１は、衛星ラジオ放送による気象情報を受信し、その気象情報を地図に重ねて表示モニタ１６に表示することができる。既知の衛星ラジオ放送として、たとえば、シリウスサテライトラジオなどがある。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９、タッチパネルコントロール部１１０、衛星ラジオ受信部１１１、受信メモリ１１２およびディスクドライブ１１３を有している。ディスクドライブ１１３には、地図データが記憶されたＤＶＤ−ＲＯＭ１１４が装填されている。【０００８】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１４に記憶された地図データに基づいて所定の経路探索処理を行うと、その処理結果が推奨経路として表示モニタ１６に表示される。【０００９】
現在地検出装置１４は車両の現在地を検出する装置である。現在地検出装置１４は、振動ジャイロ１４ａ、車速センサ１４ｂ、ＧＰＳ（Global Positioning System）センサ１４ｃなどからなる。振動ジャイロ１４ａは、車両の進行方向を検出する。車速センサ１４ｂは、車速を検出する。ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定する。また、車両の現在地を地図上に自車位置マークとして表示する。【００１０】
画像メモリ１５は、表示モニタ１６に表示するための画像データを格納する。この画像データは道路地図描画用データや各種の図形データからなる。それらはＤＶＤ−ＲＯＭ１１４に記憶された地図データなどに基づいて、適宜生成される。ナビゲーション装置１は、このようにして生成された画像データを用いることによって地図表示などを行うことができる。【００１１】
ディスクドライブ１１３は、ＤＶＤ−ＲＯＭ１１４から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで７段階の縮尺の地図データを有する。これにより、ユーザの要求にしたがって、表示地図の縮尺を７段階に変更することができる。なお、ＤＶＤ−ＲＯＭ１１４以外の他の記録メディア、たとえばＣＤ−ＲＯＭやハードディスクなどより地図データを読み出してもよい。【００１２】
表示モニタ１６は、地図データなどの各種情報に基づいて、自車位置付近の地図などの各種情報を画面表示としてユーザに提供する。スピーカ１７は、各種入力操作をユーザに指示したり、経路誘導したりするための音声を出力する。入力装置１８は、ユーザが各種コマンドの設定などするための操作キーを有し、操作パネル上のボタンスイッチやパネル周囲のハードスイッチなどによって実現される。ユーザが各種コマンドの設定などするための操作キーを有し、操作パネル上のボタンスイッチやパネル周囲のハードスイッチなどによって実現される。また、入力装置１８を操作することによって、表示モニタ１６に表示されている地図の縮尺率を変更したり、地図をスクロールしたりすることができる。たとえば、１／５万の地図の縮尺率は、１／５００００である。ユーザは、表示モニタ１６の表示画面の指示やスピーカ１７からの音声指示にしたがって、入力装置１８を手動で操作することにより、目的地を設定する。また、入力装置１８を操作することによって、衛星ラジオ放送を選局することができる。【００１３】
目的地がユーザにより設定されると、ナビゲーション装置１は現在地検出装置１４により検出された現在地を出発地とし、目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路にしたがって車両が走行できるように、ユーザに対して画面や音声などによる進行方向指示を行い、車両を経路誘導する。【００１４】
タッチパネル１９は、表示モニタ１５の表面に積層される透明のタッチスイッチである。表示モニタ１６に表示される画像はタッチパネル１９を通して表示される。したがって、表示モニタ１６の表示画面を押圧するとタッチパネル１９が押圧される。タッチパネル１９は、タッチパネル１９上の操作位置に応じた信号をタッチパネルコントロール部１１０に送出する。タッチパネルコントロール部１１０はタッチパネル１９の押圧位置を算出する。【００１５】
表示モニタ１６に表示された各種ボタンや表示メニューなどを、ユーザが指などで押圧すると、タッチパネル１９からタッチ信号が出力されて、各種ボタンや表示メニューに定義された処理が実行される。【００１６】
衛星ラジオ受信部１１１は、図示しない衛星ラジオ局から人工衛星を介して放送される衛星ラジオ放送を受信し、制御回路１１に出力する。受信した衛星ラジオ放送は、スピーカ１７より出力される。また、衛星ラジオ受信部１１１によって受信された衛星ラジオ放送の気象情報は受信メモリ１１２に記憶される。【００１７】
衛星ラジオ放送の気象情報は、天気図の情報や、ハリケーンなどの嵐の情報、気象レーダによる雨量分布の情報、各観測地点における風向きや風力の情報などを有する。天気図の情報として、たとえば、高気圧あるいは低気圧の位置（緯度・経度）の情報、温暖前線あるいは寒冷前線の位置情報などが含まれる。嵐の情報には、ハリケーン、竜巻、霰、雹、雷雨などが発生している地域の観測位置や予想進路（移動方向）の情報などが含まれる。雨量分布の情報には、雨が降っている地域の観測位置とその位置における雨量の情報などが含まれる。【００１８】
受信メモリ１１２は、フラッシュメモリやハードディスクなどの書き換え可能な不揮発性記録媒体によって構成される。受信メモリ１１２は、衛星ラジオ受信部１１０によって受信された気象情報を気象情報テーブルとして記憶する。受信メモリ１１２に記憶された気象情報は、アイコンとして地図上に表示される。【００１９】
気象情報を示すアイコンをタッチパネル１９上で押圧すると、そのアイコンに対応する気象情報の詳細情報が表示モニタ１６に表示される。たとえば、ハリケーンの場合、中心気圧や暴風圏、強風圏の半径、最大風速、雨量などが詳細情報として表示される。【００２０】
次に、図２〜図５を参照して、本発明の実施形態におけるアイコンを選択して表示する操作について説明する。本発明の実施形態では、アイコンで表示されている気象情報の予想進路に基づいて、表示モニタに表示するアイコンを選択する。【００２１】
図２（ａ）は、不図示のメニューから気象情報表示を選択すると表示される表示モニタ１６の表示画面を、説明するための図である。図２（ａ）に示すように、表示画面には地図２０が表示されており、地図２０に重ねて気象情報を示すアイコン２１ａ〜２１ｋが表示されている。アイコン２１ａ，２１ｂ，２１ｄ，２１ｅ，２１ｇ，２１ｊ，２１ｋは雹あるいは霰を示すものである。アイコン２１ｃ，２１ｆ，２１ｈ，２１ｉは竜巻を示すものである。アイコン２１ａ〜２１ｆは、密集して表示されているので、視認性が悪い。【００２２】
図２（ｂ）は、車両が進行する推奨経路と気象情報を示すアイコン２１ａ〜２１ｋとの関係を説明するための図である。図２（ｂ）に示すように、車両は、出発地２２から推奨経路２４を通過して目的地２３に向かって走行している。このため、気象情報を示すアイコン２１ａ〜２１ｋの中で密集しているアイコン２１ａ〜２１ｆのうち、進路が推奨経路２４に向かう方向に予想されている気象情報は、車両の走行に影響を与える可能性がある。以下の説明では、密集しているアイコン２１ａ〜２１ｆのうち、アイコン２１ｂ，２１ｄ，２１ｆの予想進路が南西方向に向かうものとして説明する。【００２３】
図３は、地図２０に表示された気象情報を表示するアイコン２０ａ〜２０ｋの中から所望のアイコン２１ａ〜２１ｆを指定する操作を説明するための図である。図３（ａ）に示すように、密集しているアイコン２１ａ〜２１ｆを囲うように手書きで円３１を描く。その結果、図３（ｂ）に示すように、手書きで描いた円３１とほぼ同じ位置および同じ大きさで、円３２が表示モニタ１６に表示される。この円３２内のアイコン２１ａ〜２１ｆがユーザによって指定されたアイコンとなる。また、この円３２を用いて移動方向を指定し、ユーザは、表示モニタに表示するアイコン２１ａ〜２１ｆを選択することができる。円３２には、円３２の上下左右方向の位置に三角印３３ａ〜３３ｄが目印のために表示される。また、指定解除ボタン３４も表示モニタ１６に表示される。指定解除ボタン３４が押圧されると、円３２および三角印３３ａ〜３３ｄが消去される。そして、アイコン２１ａ〜２１ｆの指定が解除される。【００２４】
図４は、指定したアイコン２１ａ〜２１ｆのうち、表示モニタ１６に表示させるアイコン２１ｂ，２１ｄ，２１ｆを選択する操作を説明するための図である。図４（ａ）に示すように、ユーザは、円３２の円周上の位置を押圧する。その結果、図４（ｂ）に示すように、密集しているアイコン２１ａ〜２１ｆのうち、円３２の中心から押圧位置の方向（南西方向）に向かって移動するアイコン２１ｂ，２１ｄ，２１ｆのみが表示される。上述したように、密集しているアイコン２１ａ〜２１ｆのうち、車両の走行に影響を与える気象情報は、予想進路が南西方向に向かうものである。ユーザは、円３２の円周で、円３２の中心から南西方向の位置を押圧することによって、アイコン２１ａ〜２１ｆのうち、南西方向に向かう予想進路を有するアイコン２１ｂ，２１ｄ，２１ｆのみを表示させることができる。【００２５】
図５（ａ）において、ユーザが特定のアイコン２１ｂを押圧すると、図５（ｂ）に示すように、押圧されたアイコン２１ｂに対応した気象情報の詳細情報を表示する詳細情報画面５０が表示される。詳細情報画面５０には、気象情報の詳細情報とともに、閉じるボタン５１が表示される。アイコン２１ｂは霰を表すものであるので、詳細情報画面５０には、霰についての詳細情報が表示される。閉じるボタン５１を押圧すると、詳細情報画面５０は消去される。【００２６】
次に、図６および図７のフローチャートを参照して、本発明の実施形態におけるアイコン表示処理について説明する。図６および図７の処理は、不図示のメニューから気象情報表示が選択され、気象情報が表示された地図が表示されるとスタートするプログラムであり、制御回路１１により実行される。【００２７】
ステップＳ６０１では、タッチパネル１９から出力される信号およびタッチパネルコントロール部１１０において算出された押圧位置に基づいて、地図２０が押圧されたか否かを判定する。地図２０が押圧された場合はステップＳ６０１が肯定判定され、ステップＳ６０２へ進む。地図２０が押圧されていない場合はステップＳ６０１を繰り返す。ステップＳ６０２では、押圧位置をＲＡＭ１３に記憶する。ステップＳ６０３では、地図２０が押圧されたか否かを判定する。地図２０が押圧された場合はステップＳ６０３が肯定判定され、ステップＳ６０２に戻る。地図２０が押圧されていない場合はステップＳ６０３が否定判定され、ステップＳ６０４へ進む。【００２８】
ステップＳ６０４では、最初に検出した押圧位置Ａと、検出した押圧位置のうちの押圧位置Ａから最も離れている押圧位置Ｂとを検出する。ステップＳ６０５では、押圧位置Ａと押圧位置Ｂとを結ぶ直線を直径とする円ＡＢ（図３（ｂ）の円３２に対応）を表示モニタ１６に表示する。円ＡＢとともに予想進路の向きを表す三角マーク３３ａ〜３３ｄも表示する。ステップＳ６０６では指定解除ボタン３４を表示モニタ１６に表示する。【００２９】
ステップＳ６０７では、押圧位置Ａと押圧位置Ｂとの間の中点（円ＡＢの中心）を算出する。ステップＳ６０８では、円ＡＢで規定された領域に含まれる気象情報を検索し、検索された気象情報を表すアイコン２１ａ〜２１ｆ（以下、気象情報アイコンと呼ぶ）を検出する。ステップＳ６０９では、円ＡＢに含まれる気象情報アイコン２１ａ〜２１ｆに対応した気象情報の詳細情報から気象情報アイコン２１ａ〜２１ｆの移動方向（予想進路）を検出する。気象情報の検索と、予想進路の検出は、受信メモリ１１２に記憶されている気象情報テーブルから取得する。【００３０】
図７のステップＳ７０１では、タッチパネル１９から出力される信号およびタッチパネルコントロール部１１０において算出された押圧位置に基づいて、円ＡＢの円周が押圧されたか否かを判定する。円ＡＢの円周が押圧された場合はステップＳ７０１が肯定判定され、ステップＳ７０２へ進む。円ＡＢの円周が押圧されていない場合はステップＳ７０１が否定判定され、ステップＳ７０４へ進む。【００３１】
ステップＳ７０２では、円ＡＢの中心に対する押圧位置の方向Ｃを算出する。ステップＳ７０３では、円ＡＢ内の気象情報アイコン２１ａ〜２１ｆのうち、方向Ｃと移動方向が略同一の気象情報アイコン２１ｂ，２１ｄ，２１ｆを表示モニタ１６に表示し、その他の気象情報アイコン２１ａ，２１ｃ，２１ｅは消去する。ここで、方向Ｃと移動方向が略同一の気象情報アイコン２１ｂ，２１ｃ，２１ｅとは、方向Ｃと方位角度が±１０°の範囲で一致する方向に予想進路が向いている気象情報アイコン２１ａ，２１ｃ，２１ｅである。方向Ｃと移行方向の略同一であるとする気象情報アイコンの移動方向の許容範囲は、±１０°の範囲に限定されず、ユーザの希望する精度で適宜変更することができる。円ＡＢから外れているアイコン２１ｇ〜２１ｋは、そのまま表示される。そして、ステップＳ７０１に戻る。【００３２】
ステップＳ７０４では、タッチパネル１９から出力される信号およびタッチパネルコントロール部１１０において算出された押圧位置に基づいて、表示モニタ１６に表示されている気象情報アイコン２１ｂ，２１ｄ，２１ｆ〜２１ｋが押圧されたか否かを判定する。表示モニタ１６に表示されている気象情報アイコン２１ｂ，２１ｄ，２１ｆ〜２１ｋが押圧された場合はステップＳ７０４が肯定判定され、ステップＳ７０５に進む。表示モニタ１６に表示されている気象情報アイコン２１ｂ，２１ｄ，２１ｆ〜２１ｋが押圧されていない場合はステップＳ７０４が否定判定され、ステップＳ７０８に進む。【００３３】
ステップＳ７０５では、押圧された気象情報アイコン２１ｂに対応した気象情報の詳細情報を表示した詳細情報画面５０を表示モニタ１６に表示する。ステップＳ７０６では、タッチパネル１９から出力される信号およびタッチパネルコントロール部１１０において算出された押圧位置に基づいて、閉じるボタン５１が押圧されたか否かを判定する。閉じるボタン５１が押圧された場合はステップＳ７０６が肯定判定され、ステップＳ７０７へ進む。閉じるボタン５１が押圧されない場合はステップＳ７０６を繰り返す。ステップＳ７０７では、詳細情報画面５０の表示を終了する。そして、ステップＳ７０１に戻る。【００３４】
ステップＳ７０８では、タッチパネル１９から出力される信号およびタッチパネルコントロール部１１０において算出された押圧位置に基づいて、指定解除ボタン３４が押圧されたか否かを判定する。指定解除ボタン３４が押圧された場合はステップＳ７０８が肯定判定され、ステップＳ７０９へ進む。指定解除ボタン３４が押圧されない場合はステップＳ７０８が否定判定され、ステップＳ７０１に戻る。【００３５】
ステップＳ７０９では、円ＡＢを表示画面から消去する。ステップＳ７１０では、ステップＳ７０３で表示しないようにした気象情報アイコンも表示して、気象情報アイコン２１ａ〜２１ｋを全て表示モニタ１６に表示する。そして、リターンする。【００３６】
以上の本発明の実施の形態によるナビゲーション装置１は次のような作用効果を奏する。
（１）密集している気象情報アイコン２１ａ〜２１ｆをグループとして指定し、指定した気象情報アイコン２１ａ〜２１ｆのうち、ユーザが指定した方向とほぼ同一方向に進路が予想されている気象情報アイコン２１ｂ，２１ｄ，２１ｆのみを表示するようにした。ユーザにとって気象情報として必要なアイコンは、予想進路が推奨経路２４の方向に向かうハリケーンや嵐など、車両の進行に影響を与える気象情報アイコン２１ｂ，２１ｄ，２１ｆである。したがって、ユーザにとって必要な気象情報アイコン２１ｂ，２１ｄ，２１ｆを選択して表示することができる。また、気象情報アイコン２１ａ〜２１ｆが間引いて表示されるので、密集した複数の気象情報アイコンの一部は表示されなくなり、気象情報アイコンの視認性が良くなる。さらに、気象情報アイコン同士の重なりが少なくなるので、所望の気象情報アイコンを押圧して、詳細情報画面５０を表示させる操作が容易になる。【００３７】
（２）手描きで描いた線図３１によって、気象情報アイコン２１ａ〜２１ｆを囲うようにして気象情報アイコン２１ａ〜２１ｆを指定するので、気象情報アイコン２１ａ〜２１ｆを指定する操作が容易である。【００３８】
（３）手描きで描いた線図３１に基づいて、円３２が表示モニタ１６に表示され、表示された円３２の円周を押圧することによってアイコンの移動方向を指定し、表示モニタ１６に表示する気象情報アイコン２１ｂ，２１ｄ，２１ｆを選択できるようにした。したがって、ユーザにとって気象情報として必要な気象情報アイコンのみを簡単な操作で表示モニタ１６に表示させることができる。【００３９】
以上の実施の形態を次のように変形することができる。
−他の実施の形態１−
気象情報アイコン２１ａ〜２１ｆを囲うように手書きで円３１を描くと、地図２０の縮尺率が大きくなるようにしてもよい。たとえば、地図の縮尺率を１／２万から１／８０００に大きくしてもよい。地図２０の縮尺率が大きくなることによって、詳細地図表示となって、気象情報アイコン同士の間隔が広がるので、気象情報アイコンの密集度が小さくなるからである。【００４０】
たとえば、図８（ａ）に示すように、密集している気象情報アイコン２１ａ〜２１ｆを囲うように手書きで円３１を描いたとき、図８（ｂ）に示すように、縮尺率が大きくなった地図２０上に円３２が表示される。これにより、気象情報アイコン２１ａ〜２１ｆの密集度が小さくなり、気象情報アイコン２１ａ〜２１ｆの視認性が良好になる。また、気象情報アイコン同士の重なりが少なくなるので、所望の気象情報アイコンを押圧して、詳細情報画面５０を表示させる操作が容易になる。【００４１】
図６、図７および図９のフローチャートを参照して、他の実施の形態１におけるアイコン表示処理について説明する。図６、図７および図９の処理は、不図示のメニューから気象情報表示が選択され、気象情報が表示された地図が表示されるとスタートするプログラムであり、制御回路１１により実行される。本発明の実施形態におけるアイコン表示処理と同一のステップは同一の符号を付し、本発明の実施形態におけるアイコン表示処理と異なるところを主に説明する。【００４２】
図６のステップＳ６０９で、気象情報アイコン２１ａ〜２１ｆの移動方向を検出した後、図９のステップＳ９０１へ進む。ステップＳ９０１では、円ＡＢの中心が表示モニタ１６の表示画面の中心になるように地図２０をスクロールする。ステップＳ９０２では、地図２０の縮尺率のうち、円ＡＢが表示モニタ１６の表示画面に含まれる最大の縮尺率で地図２０を表示モニタ１６に表示する。そして、図７のステップＳ７０１へ進む。【００４３】
−他の実施の形態２−
ユーザが指定した方向と移動方向が略同一の気象情報アイコンのみを表示するようにしても、気象情報アイコン同士が重なる場合がある。このような場合、重なり合う気象情報アイコンを指定し、指定した気象情報アイコンが重ならないように、地図の縮尺率が変更されるようにしてもよい。たとえば、地図の縮尺率を１／２万から１／８０００に大きくしてもよい。これにより、所望の気象情報アイコンを押圧して、詳細情報画面５０を表示させる操作が容易になる。【００４４】
たとえば、図１０（ａ）に示すように、円３２が表示モニタ１６に表示された後、円３２内の気象情報アイコン２１ｂ，２１ｄ，２１ｆを連続して押圧するように手描きで図形６１を描く。その結果、図１０（ｂ）に示すように、連続して押圧した気象情報アイコン２１ｂ，２１ｄ，２１ｆ同士が重ならない縮尺率で地図２０が表示される。【００４５】
図６、図１１および図１２のフローチャートを参照して、他の実施の形態２におけるアイコン表示処理について説明する。図６、図１１および図１２の処理は、不図示のメニューから気象情報表示が選択され、気象情報が表示された地図が表示されるとスタートするプログラムであり、制御回路１１により実行される。本発明の実施形態におけるアイコン表示処理と同一のステップは同一の符号を付し、本発明の実施形態におけるアイコン表示処理と異なるところを主に説明する。また、制御回路１１には、時間を計測するタイマが内蔵されているものとして説明する。【００４６】
図６のステップＳ６０９で、気象情報アイコン２１ａ〜２１ｆの移動方向を検出した後、図１１のステップＳ７０１へ進む。【００４７】
ステップＳ７０４では、タッチパネル１９から出力される信号およびタッチパネルコントロール部１１０において算出された押圧位置に基づいて、表示モニタ１６に表示されている気象情報アイコン２１ｂ，２１ｄ，２１ｆ〜２１ｋが押圧されたか否かを判定する。表示モニタ１６に表示されている気象情報アイコン２１ｂ，２１ｄ，２１ｆ〜２１ｋが押圧された場合はステップＳ７０４が肯定判定され、ステップＳ１１０１に進む。表示モニタ１６に表示されている気象情報アイコン２１ｂ，２１ｄ，２１ｆ〜２１ｋが押圧されていない場合はステップＳ７０４が否定判定され、図１２のステップＳ７０８に進む。【００４８】
ステップＳ１１０１では、制御回路１１に内蔵されているタイマをスタートする。ステップＳ１１０２では、押圧された気象情報アイコン２１ｂ，２１ｄ，２１ｆを検出する。ステップＳ１１０３では、タイマが計測している時間が所定時間を経過しているか否かを判定する。タイマが計測している時間が所定時間を経過している場合はステップＳ１１０３が肯定判定され、ステップＳ１１０４へ進む。タイマが計測している時間が所定時間を経過していない場合はステップＳ１１０３が否定判定され、ステップＳ１１０２に戻る。【００４９】
ステップＳ１１０４では、検出した気象情報アイコン２１ｂ，２１ｄ，２１ｆに基づいて、所定時間内に複数の気象情報アイコンが押圧されたか否かを判定する。所定時間内に複数の気象情報アイコン２１ｂ，２１ｄ，２１ｆが押圧された場合はステップＳ１１０４が肯定判定され、ステップＳ１１０５に進む。所定時間内にひとつの気象情報アイコンのみが押圧された場合はステップＳ１１０４が否定判定され、ステップＳ７０５に進む。【００５０】
ステップＳ１１０５では、複数の気象情報アイコン２１ｂ，２１ｄ，２１ｆ間の距離を算出する。ステップＳ１１０６では、気象情報アイコン２１ｂ，２１ｄ，２１ｆ間の距離に基づいて、表示モニタ１６に表示する地図２０の縮尺率を決定する。表示画面に表示される気象情報アイコン２１ｂ，２１ｄ，２１ｆの大きさは予め定まっているため、気象情報アイコン２１ｂ，２１ｄ，２１ｆ間の距離と地図の縮尺率とから、気象情報アイコン２１ｂ，２１ｄ，２１ｆ同士が重なるか否かを判定できる。この判定で、重ならないと判定された地図２０の縮尺率のうち、最も小さな縮尺率を表示モニタ１６に表示する地図２０の縮尺率として決定する。ステップＳ１１０７では、決定した縮尺率で地図２０を表示モニタ１６に表示する。そして、ステップＳ７０１に戻る。【００５１】
手描きで描いた線図６１に基づいて、重なる気象情報アイコン２１ｄ，２１ｆを選択できるようにしたので、簡単な操作で重なっている気象情報アイコン２１ｄ，２１ｆを選択できる。【００５２】
また、自動的に、円３２内の気象情報アイコン２１ｂ，２１ｄ，２１ｆのアイコン同士の距離を検出し、自動的に、円３２内の気象情報アイコン２１ｂ，２１ｄ，２１ｆのアイコン同士が重ならない縮尺率で地図２０が表示されるようにしてもよい。【００５３】
−他の実施の形態３−
以上では、予想進路の情報を有する気象情報について説明したが、移動する対象を表示するアイコンであれば、本発明は、気象情報アイコン２１ａ〜２１ｋに限定されない。たとえば、タクシーの配車システムで、タクシーの現在地として地図上に表示したアイコンにも適用できる。【００５４】
図１３（ａ）に示すように、タクシーの現在地を監視するため、タクシーの現在地をアイコンとして地図２０に表示する場合、円７１内のように、アイコンが密集して、アイコンの視認性が悪くなる場合がある。このような場合、密集しているアイコンを囲うように手書きで円を描き、表示モニタ１６に円３２を表示させる。そして、円３２の円周を押圧することによって、タクシーの進行方向ごとに、円７１内のアイコンを表示させることができる。たとえば、円３２の円周の北側を押圧すると、図１３（ｂ）に示すように、北方向に進行するタクシーのアイコンのみを表示させることができる。【００５５】
以上の説明はあくまで一例であり、発明は、上記の実施形態に何ら限定されるものではない。たとえば、ナビゲーション機能を持たない地図表示可能な電子情報処理にも本発明は適用できる。
【図１】
2009016736.tif 000003
【図２】
2009016736.tif 000004
【図３】
2009016736.tif 000005
【図４】
2009016736.tif 000006
【図５】
2009016736.tif 000007
【図６】
2009016736.tif 000008
【図７】
2009016736.tif 000009
【図８】
2009016736.tif 000010
【図９】
2009016736.tif 000011
【図１０】
2009016736.tif 000012
【図１１】
2009016736.tif 000013
【図１２】
2009016736.tif 000014
【図１３】
2009016736.tif 000015
【国際調査報告】
2009016736.tif 000016
2009016736.tif 000017
2009016736.tif 000018
2009016736.tif 000019